(57)【要約】【課題】本発明は、特定の誤操作を機構的に制限することにより、安全かつ安定的に運用することが可能な自動電圧調整器用の開閉器を提供する。【解決手段】本発明の代表的な構成は、電源側幹線１０２ａと負荷側幹線１０２ｂとの間に配置され、自動電圧調整器１１２の連系または解列を切り替える開閉器２００であって、電源側幹線１０２ａと負荷側幹線１０２ｂとを開閉する幹線用開閉部２２２と、幹線に対して自動電圧調整器を連系または解列させるＳＶＲ用開閉部とを備え、幹線用開閉部およびＳＶＲ用開閉部が開成されている状態からＳＶＲ用開閉部が閉成されることを防止する過誤入防止手段または過誤切防止手段を備えたことを特徴とする。【選択図】図３
2010205638.tif 000002
【特許請求の範囲】
【請求項１】
電源側幹線と負荷側幹線との間に配置され、自動電圧調整器の連系または解列を切り替える開閉器であって、
前記電源側幹線と前記負荷側幹線とを開閉する幹線用開閉部と、
前記幹線に対して前記自動電圧調整器を連系または解列させるＳＶＲ用開閉部とを備え、
前記幹線用開閉部および前記ＳＶＲ用開閉部が開成されている状態から前記ＳＶＲ用開閉部が閉成されることを防止する過誤入防止手段を備えたことを特徴とする開閉器。
【請求項２】
電源側幹線と負荷側幹線との間に配置され、自動電圧調整器の連系または解列を切り替える開閉器であって、
前記電源側幹線と前記負荷側幹線とを開閉する幹線用開閉部と、
前記幹線に対して前記自動電圧調整器を連系または解列させるＳＶＲ用開閉部とを備え、
前記幹線用開閉部が開成され、前記ＳＶＲ用開閉部が閉成されているときに、該ＳＶＲ用開閉部が開成されることを防止する過誤切防止手段を備えたことを特徴とする開閉器。
【請求項３】
電源側幹線と負荷側幹線との間に配置され、自動電圧調整器の連系または解列を切り替える開閉器であって、
前記電源側幹線と前記負荷側幹線とを開閉する幹線用開閉部を操作する幹線用ハンドルと、
前記幹線に対して前記自動電圧調整器を連系または解列させるＳＶＲ用開閉部を操作するＳＶＲ用ハンドルとを備え、
前記幹線用ハンドルには、該幹線用ハンドルが開状態であるときに前記ＳＶＲ用ハンドルの移動軌跡上に位置する第１規制部材を備え、該第１規制部材は、該ＳＶＲ用ハンドルが開状態から閉状態に回動することを規制することを特徴とする開閉器。
【請求項４】
電源側幹線と負荷側幹線との間に配置され、自動電圧調整器の連系または解列を切り替える開閉器であって、
前記電源側幹線と前記負荷側幹線とを開閉する幹線用開閉部を操作する幹線用ハンドルと、
前記幹線に対して前記自動電圧調整器を連系または解列させるＳＶＲ用開閉部を操作するＳＶＲ用ハンドルとを備え、
前記ＳＶＲ用ハンドルには、該ＳＶＲ用ハンドルが閉状態であるときに前記幹線用ハンドルの移動軌跡上に位置する第２規制部材を備え、該第２規制部材は、該幹線用ハンドルが閉状態から開状態に回動することを規制することを特徴とする開閉器。
【請求項５】
前記幹線用ハンドルまたは前記ＳＶＲ用ハンドルは概略Ｔ字状であって、
回転軸から両側に延長されて引紐を接続される２本の操作腕と、
前記回転軸から前記操作腕と直交する方向に延長されて前記第１規制部材または前記第２規制部材を設けられた規制腕とを備え、
前記幹線用ハンドルまたは前記ＳＶＲ用ハンドルの一方に設けられた前記第１規制部材または前記第２規制部材が、他方のハンドルの前記操作腕に当接することによってその回動を規制することを特徴とする請求項３または請求項４に記載の開閉器。
【請求項６】
前記幹線用ハンドルと前記ＳＶＲ用ハンドルは軸方向の位置をずらしてその回転範囲が重なるように取り付けられており、
前記第１規制部材または前記第２規制部材は、前記幹線用ハンドルまたは前記ＳＶＲ用ハンドルの一方から他方に向けて立設されたピン状の部材であって、
前記幹線用ハンドルまたは前記ＳＶＲ用ハンドルの一方が所定の位相にあるときに、当該ハンドルに設けられた前記第１規制部材または前記第２規制部材が他方のハンドルの移動軌跡上に位置することを特徴とする請求項３または請求項４に記載の開閉器。
【発明の詳細な説明】
【技術分野】
【０００１】
本発明は、自動電圧調整器を幹線に対して連系または解列させる開閉器に関する。
【背景技術】
【０００２】
配電系統における需要者の引込口では、電気事業法に定められた範囲に供給電圧を維持しなくてはならない。そのため電圧降下や電圧変動により供給電圧が維持すべき範囲を逸脱しないように電圧を管理する必要がある。この管理手法の１つとして、幹線に線路中の電圧を調整し引込口の電圧を補償する自動電圧調整器（ＳＶＲ：Step Voltage Regulator、配電用自動電圧調整器、高圧自動電圧調整器とも呼ばれる。）が配設されている。
【０００３】
一般に電柱には高圧配電線（６６００Ｖ）、低圧電灯線（１００Ｖや２００Ｖ）、低圧動力線（２００Ｖ）が配線されるが、自動電圧調整器は高圧配電線の電圧を補償（適正化）するために配置される。低圧電力は、高圧電力から変圧器によって適宜降圧して生成することができる。電圧は変電所から離れるほどに低下するため、自動電圧調整器は郊外に設置されることが多い。
【０００４】
自動電圧調整器は、設置時、保守点検時、交換時などにおいて、需用者に給電を維持しつつ自動電圧調整器を連系または解列させる必要がある。このため、自動電圧調整器を設置する場合には、幹線の開閉を行う開閉器と、幹線から自動電圧調整器に接続される線に設けられる開閉器と、自動電圧調整器から幹線に接続される線に設けられる開閉器の３つの開閉器が必要になる。
【０００５】
図６は、従来の自動電圧調整器１０および開閉器１４Ａ、１４Ｂ、１４Ｃの配置を説明するための配置図である。従来は、自動電圧調整器１０が占有体積およびその重量も大きかったので、２本の電柱１８Ａ、１８Ｂを用いたＨ柱装柱によりその自動電圧調整器１０を支持していた。また、自動電圧調整器１０のみならず、図６に示すように、３つの開閉器１４Ａ、１４Ｂ、１４Ｃも大きな設置スペースを必要としている。近年、単柱装柱用の自動電圧調整器１０の開発が進められており、それに伴って単柱装柱を可能とする開閉器１４の小型・軽量化が望まれるようになった。
【０００６】
こうして、３つの開閉器の機能を１つの装置に集約し、幹線への自動電圧調整器の接続を総合的に行う開閉器（接点切替開閉器）が提案されている。３つの開閉機能を備えた自動電圧調整器用の開閉器においては、幹線の開閉を行う幹線用開閉部と、幹線に対して自動電圧調整器の上流側と下流側で開閉を行う２つのＳＶＲ用開閉部の、合計３つの開閉部が必要になる。
【０００７】
図７は、３つの開閉機能を一体化した場合の開閉器２０および自動電圧調整器１０の配置を説明するための配置図である。図７では、自動電圧調整器１０および単体の開閉器２０が単柱に装柱され、自動電圧調整器１０は、３つの開閉機能が集約された開閉器２０を通じて幹線１６に接続されている。このように開閉器２０が一体化されることで自動電圧調整器１０や開閉器２０のメンテナンスを単純化でき、自動電圧調整器１０自体が故障した場合に自動電圧調整器１０を幹線１６から容易に切り離すことができる。
【０００８】
従来からも、このように３つの開閉機能が集約された開閉器について様々な提案がなされている（例えば、特許文献１）。特許文献１によれば、電圧調整器の保守点検時に、電圧調整器課電状態でかつ本線通電状態にできるようにし、電圧調整器への制御電源確保のための面倒な接続作業を不要にできるとしている。
【０００９】
また、このように集約した開閉器の各開閉動作タイミングを、回動する歯車を使った簡易な構成で実現する技術も公開されている（例えば、特許文献２）。特許文献２によれば、高圧幹線に設けられる開閉器を、簡易な機構とし、かつ、作動を良好にできるとしている。
【００１０】
上記したように、３つの開閉機能を備えた自動電圧調整器用の開閉器は、幹線の開閉を行う幹線用開閉部と、幹線に対して自動電圧調整器の上流側と下流側で開閉を行う２つのＳＶＲ用開閉部の、合計３つの開閉部を備えている。そしてこれらの開閉部を操作して、幹線用開閉部とＳＶＲ用開閉部を両方とも開成する線路開放モードと、幹線用開閉部のみを閉成する解列モードと、ＳＶＲ用開閉部のみを閉成する連系モードとして動作させる。
【００１１】
開閉部の操作は、開閉器の外側に備えられたレバーを回動させることによって行う。開閉器は高圧幹線と自動電圧調整器の間に配置されるため、電柱の高い位置に設置されている。そのため、レバーにはその先端に引紐が接続（締結）されており、電柱の低い位置から引紐を引くことによってレバー操作を行うことができる。
【先行技術文献】
【特許文献】
【００１２】
【特許文献１】特開平１１−０５４０００号公報
【特許文献２】特開２００５−３２４９７号公報
【発明の概要】
【発明が解決しようとする課題】
【００１３】
上記のような開閉器が接続された幹線を安全かつ安定的に運用する必要条件の一つに、誤操作を排除することが挙げられる。しかし上述のように開閉器は高い位置に設置されているため、レバーの状態を視認しにくいという問題がある。また装置構成の一例として２本のレバーがある場合には４本の引紐が接続されているが、どの引紐がどのレバーのどちら側に接続されているかわかりにくい。このため、現場作業においては誤った引紐を選択し、誤ったハンドル操作を行ってしまうおそれがある。
【００１４】
誤ったハンドル操作を行った場合、以下のような問題が生じる。例えば、幹線用開閉部とＳＶＲ用開閉部を両方ともが開成されている線路開放モードにおいては、まず幹線用ハンドルを操作して、幹線用開閉部を閉成する必要がある。このとき誤ってＳＶＲ用ハンドルを操作してしまうと、まだ自動電圧調整器の準備が整っているとは限らないため、未接続の電線によって感電事故を生じたり、短絡や接続不良による設備事故が発生したりするおそれがある。
【００１５】
またＳＶＲ用開閉部のみを閉成する連系モードから、自動電圧調整器の点検や取り替え作業を行う際には、幹線用開閉部のみを閉成する解列モードへと移行する必要がある。ＳＶＲ用ハンドルは、これを操作するとＳＶＲ用開閉部が開成すると同時に幹線用開閉部が閉成し、充電状態を維持するように構成されている。しかし、このとき誤って幹線用ハンドルを操作してしまうと、幹線用開閉部とＳＶＲ用開閉部が全て開成してしまい、停電事故を招いてしまうおそれがある。
【００１６】
そこで本発明は、してはならない特定の誤操作を機構的に制限することにより、安全かつ安定的に運用することが可能な自動電圧調整器用の開閉器を提供することを目的としている。
【課題を解決するための手段】
【００１７】
上記課題を解決するために、本発明の代表的な構成は、電源側幹線と負荷側幹線との間に配置され、自動電圧調整器の連系または解列を切り替える開閉器であって、電源側幹線と負荷側幹線とを開閉する幹線用開閉部と、幹線に対して自動電圧調整器を連系または解列させるＳＶＲ用開閉部とを備え、幹線用開閉部およびＳＶＲ用開閉部が開成されている状態からＳＶＲ用開閉部が閉成されることを防止する過誤入防止手段を備えたことを特徴とする。
【００１８】
上記構成によれば、幹線用開閉部およびＳＶＲ用開閉部が開成されている状態からＳＶＲ用開閉部が閉成されることを防止することにより、未接続の電線によって感電事故を生じたり、短絡や接続不良による設備事故が発生したりすることを防止することができる。したがって、自動電圧調整器を安全且つ安定的に運用することが可能となる。
【００１９】
本発明の他の代表的な構成は、電源側幹線と負荷側幹線との間に配置され、自動電圧調整器の連系または解列を切り替える開閉器であって、電源側幹線と負荷側幹線とを開閉する幹線用開閉部と、幹線に対して自動電圧調整器を連系または解列させるＳＶＲ用開閉部とを備え、幹線用開閉部が開成され、ＳＶＲ用開閉部が閉成されているときに、ＳＶＲ用開閉部が開成されることを防止する過誤切防止手段を備えたことを特徴とする。
【００２０】
上記構成によれば、幹線用開閉部が開成され、かつＳＶＲ用開閉部が閉成されているときに、ＳＶＲ用開閉部が開成されることを防止することにより、不用意に幹線用開閉部とＳＶＲ用開閉部が全て開成してしまい、停電事故を招いてしまうことを防止することができる。したがって、自動電圧調整器を安全且つ安定的に運用することが可能となる。
【００２１】
本発明の他の代表的な構成は、電源側幹線と負荷側幹線との間に配置され、自動電圧調整器の連系または解列を切り替える開閉器であって、電源側幹線と負荷側幹線とを開閉する幹線用開閉部を操作する幹線用ハンドルと、幹線に対して自動電圧調整器を連系または解列させるＳＶＲ用開閉部を操作するＳＶＲ用ハンドルとを備え、幹線用ハンドルには、幹線用ハンドルが開状態であるときにＳＶＲ用ハンドルの移動軌跡上に位置する第１規制部材を備え、第１規制部材は、ＳＶＲ用ハンドルが開状態から閉状態に回動することを規制することを特徴とする。
【００２２】
上記構成によれば、幹線用ハンドルが開状態であるときにＳＶＲ用ハンドルが閉状態となることを規制することにより、幹線用開閉部およびＳＶＲ用開閉部が開成されている状態からＳＶＲ用開閉部が閉成されることを防止することができる。これにより、未接続の電線によって感電事故を生じたり、短絡や接続不良による設備事故が発生したりすることを防止することができる。したがって、自動電圧調整器を安全且つ安定的に運用することが可能となる。
【００２３】
本発明の他の代表的な構成は、電源側幹線と負荷側幹線との間に配置され、自動電圧調整器の連系または解列を切り替える開閉器であって、電源側幹線と負荷側幹線とを開閉する幹線用開閉部を操作する幹線用ハンドルと、幹線に対して自動電圧調整器を連系または解列させるＳＶＲ用開閉部を操作するＳＶＲ用ハンドルとを備え、ＳＶＲ用ハンドルには、ＳＶＲ用ハンドルが閉状態であるときに幹線用ハンドルの移動軌跡上に位置する第２規制部材を備え、第２規制部材は、幹線用ハンドルが閉状態から開状態に回動することを規制することを特徴とする。
【００２４】
上記構成によれば、ＳＶＲ用ハンドルが閉状態であるときに幹線用ハンドルが開状態となることを規制することにより、幹線用開閉部が開成され、かつＳＶＲ用開閉部が閉成されているとき（ＳＶＲ用ハンドルが閉状態のとき、幹線用開閉部は開成される）に、ＳＶＲ用開閉部が開成されることを防止することができる。これにより、不用意に幹線用開閉部とＳＶＲ用開閉部が全て開成してしまい、停電事故を招いてしまうことを防止することができる。したがって、自動電圧調整器を安全且つ安定的に運用することが可能となる。
【００２５】
幹線用ハンドルまたはＳＶＲ用ハンドルは概略Ｔ字状であって、回転軸から両側に延長されて引紐を接続される２本の操作腕と、回転軸から操作腕と直交する方向に延長されて第１規制部材または第２規制部材を設けられた規制腕とを備え、幹線用ハンドルまたはＳＶＲ用ハンドルの一方に設けられた第１規制部材または第２規制部材が、他方のハンドルの操作腕に当接することによってその回動を規制してもよい。
【００２６】
上記構成によれば、幹線用ハンドルが開状態であるときにＳＶＲ用ハンドルが閉状態となることを規制することができる。
【００２７】
幹線用ハンドルとＳＶＲ用ハンドルは軸方向の位置をずらしてその回転範囲が重なるように取り付けられており、第１規制部材または第２規制部材は、幹線用ハンドルまたはＳＶＲ用ハンドルの一方から他方に向けて立設されたピン状の部材であって、幹線用ハンドルまたはＳＶＲ用ハンドルの一方が所定の位相にあるときに、当該ハンドルに設けられた第１規制部材または第２規制部材が他方のハンドルの移動軌跡上に位置してもよい。
【００２８】
上記構成によれば、ＳＶＲ用ハンドルが閉状態であるときに幹線用ハンドルが開状態となることを規制することができる。
【発明の効果】
【００２９】
本発明によれば、自動電圧調整器用の開閉器において、誤操作を機構的に制限することにより、安全かつ安定的に運用することが可能となる。
【図面の簡単な説明】
【００３０】
【図１】開閉器と自動電圧調整器との配置を示した配置図である。
【図２】開閉器と自動電圧調整器の簡単な回路構成図である。
【図３】開閉器の外観を説明する図である。
【図４】引紐を説明する図である。
【図５】ハンドルと開閉部の動作を説明する図である。
【図６】従来の自動電圧調整器および開閉器の配置を説明するための配置図である。
【図７】３つの開閉機能を一体化した場合の開閉器および自動電圧調整器の配置を説明するための配置図である。
【発明を実施するための形態】
【００３１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３２】
図１は開閉器２００と自動電圧調整器１１２（調整変圧器１１２ａ、直列変圧器１１２ｂ）との配置を示した配置図、図２は開閉器２００と自動電圧調整器１１２の簡単な回路構成図である。
【００３３】
図１において、電柱１００には、高電圧（６６００Ｖ）が流れる幹線１０２（電源側幹線１０２ａ、負荷側幹線１０２ｂ）、および低電圧（１００Ｖや２００Ｖ）などが流れる不図示の低圧線が架線されている。他の電線や通信線、装柱などは説明の簡便のため省略している。幹線１０２を支持する腕金１０６には、後に詳述する開閉器２００が吊下されている。開閉器２００の下には、自動電圧調整器１１２、自動電圧調整器１１２を制御するＳＶＲ制御部１１６、自動電圧調整器１１２を遠隔操作する制御装置１１８が設置されている。
【００３４】
図１および図２に示すように、幹線１０２は電柱１００の腕金１０６において、両側で引留装柱されている（線路が分断されている）。そして開閉器２００は、電源側および負荷側の両方の幹線１０２から引き下げてこれらを中継するように接続されている。また開閉器２００からは自動電圧調整器１１２を介する循環経路が接続されている。自動電圧調整器１１２は、本実施形態では調整変圧器１１２ａと直列変圧器１１２ｂとから構成されている。
【００３５】
開閉器２００は、高圧の幹線１０２と自動電圧調整器１１２とを中継し、自動電圧調整器１１２の幹線１０２に対する連系または解列を行う。開閉器２００は、図２に示すように内部に幹線用開閉部２２２と、２つのＳＶＲ用開閉部２２４、２２６を備えている。
【００３６】
幹線用開閉部２２２は電源側幹線１０２ａと負荷側幹線１０２ｂとを開閉し、閉成すると幹線１０２の電源側と負荷側を直結し、開成すると切断する。ＳＶＲ用開閉部２２４、２２６は同時に作動し、幹線１０２に対して自動電圧調整器１１２を連系または解列させる。そしてこれらの開閉部を操作することにより、開閉器２００は、幹線用開閉部２２２とＳＶＲ用開閉部２２４、２２６を両方とも開成する線路開放モードと、幹線用開閉部２２２のみを閉成する解列モードと、ＳＶＲ用開閉部２２４、２２６のみを閉成する連系モードとに切り替えることができる。
【００３７】
図３は開閉器２００の外観を説明する図である。図３に示すように、開閉器２００の外部には、幹線用ハンドル２３０、ＳＶＲ用ハンドル２４０、幹線状態指示器２５２、ＳＶＲ状態指示器２５４が備えられている。幹線状態指示器２５２は幹線用開閉部２２２の開閉状態に応じて回動し、ＳＶＲ状態指示器２５４はＳＶＲ用開閉部２２４、２２６の開閉状態に応じて回動し、作業者に内部の開閉部の状態を表示する。幹線状態指示器２５２、ＳＶＲ状態指示器２５４は、内部機構を介して動作することにより、ハンドルの状態だけではなく、確かに内部機構の状態が変化したことを知ることができる。
【００３８】
図４は引紐を説明する図である。開閉器２００は幹線１０２と自動電圧調整器１１２の間に配置されるため、電柱１００の高い位置に設置されている。そのため、幹線用ハンドル２３０およびＳＶＲ用ハンドル２４０には引紐２６０、２６２が接続されている。
【００３９】
幹線用ハンドル２３０に接続された２本の引紐２６０、およびＳＶＲ用ハンドル２４０に接続された２本の引紐２６２（合計４本）は、下方に垂下されている。これにより作業者は、電柱１００の頂上近くに設置された開閉器２００まで登ることなく、開閉器２００のハンドル操作を行うことができる。ＳＶＲ用ハンドル２４０はメンテナンス時などに比較的操作する機会が多いため、引紐２６２は単に垂下して足場金具などに結んでおくことができる。幹線用ハンドル２３０は通常は操作しないため、引紐２６０は引紐収納箱１２０に先端を収容して簡単な鍵をかけておくことが好ましい。これにより、操作者が誤って幹線用ハンドル２３０を操作してしまい、停電事故をおこしてしまうことを防止することができる。
【００４０】
幹線用ハンドル２３０は、幹線用開閉部２２２を動作させるためのハンドルである。ＳＶＲ用ハンドル２４０は、ＳＶＲ用開閉部２２４、２２６と、幹線用開閉部２２２の３つの開閉部を動作させるためのハンドルである。力を伝達するための各種の軸やギヤ、カム、端子などは図示と説明を省略する。
【００４１】
図５はハンドルと開閉部の動作を説明する図である。図５（ａ）は線路開放モードを示しており、幹線用ハンドル２３０およびＳＶＲ用ハンドル２４０は開状態となっている。このとき幹線用開閉部２２２およびＳＶＲ用開閉部２２４、２２６は全て開成されており、幹線１０２は開放（切断）された状態となっている。
【００４２】
図５（ｂ）は解列モードを示しており、幹線用ハンドル２３０が閉状態となっている。このとき幹線用開閉部２２２は閉成されており、幹線１０２の電源側と負荷側が直結されている。
【００４３】
図５（ｃ）は連系モードを示しており、幹線用ハンドル２３０およびＳＶＲ用ハンドル２４０が両方とも閉状態となっている。このとき幹線用開閉部２２２は開成され、ＳＶＲ用開閉部２２４、２２６は閉成される。すなわち、ＳＶＲ用ハンドル２４０は、操作することにより幹線用開閉部２２２、ＳＶＲ用開閉部２２４、２２６の３つの開閉部を操作する。なお、ＳＶＲ用ハンドル２４０を開状態から閉状態に切り替えるとき、瞬間的に幹線用開閉部２２２が閉成された状態でＳＶＲ用開閉部２２４、ＳＶＲ用開閉部２２６が閉成してから、幹線用開閉部２２２が開成される。これにより、瞬停を防止することができる。３つの開閉部が閉成される瞬間には、バイパス回路によって幹線１０２と自動電圧調整器１１２とを同電位とする。
【００４４】
次に、幹線用ハンドル２３０およびＳＶＲ用ハンドル２４０の第１規制部材２３８（過誤入防止手段）と第２規制部材２４８（過誤切防止手段）について詳述する。図３に示したように、幹線用ハンドル２３０とＳＶＲ用ハンドル２４０は軸方向の位置をずらして、その回転範囲が重なるように取り付けられている。本実施形態では、幹線用ハンドル２３０が開閉器２００の筐体２０２に近い側にあり、ＳＶＲ用ハンドル２４０が筐体２０２から離れた側にある。これにより、軸間距離が短くても幹線用ハンドル２３０とＳＶＲ用ハンドル２４０の互いの衝突を避けることができるため、開閉器２００の筐体２０２の大きさに対して大きなハンドルを設けることができる。なお、開閉器２００側にある幹線用ハンドル２３０の腕は、軸間距離よりも短く形成されている。
【００４５】
幹線用ハンドル２３０は、概略Ｔ字状であって、回転軸２３２から両側に延長されて引紐２６０を接続される２本の操作腕２３４と、回転軸２３２から操作腕２３４と直交する方向に延長されて第１規制部材２３８を設けられた規制腕２３６とを備えている。第１規制部材２３８は、幹線用ハンドル２３０から、回転軸２３２の軸方向にＳＶＲ用ハンドル２４０に向けて立設されたピン状の部材である。換言すれば、第１規制部材は、幹線用ハンドル２３０の規制腕２３６の先端に、開閉器２００の筐体２０２から離れる方向に突出するように設けられている。
【００４６】
同様にＳＶＲ用ハンドル２４０は概略Ｔ字状であって、回転軸２４２から両側に延長されて引紐２６２を接続される２本の操作腕２４４と、回転軸２４２から操作腕２４４と直交する方向に延長されて第２規制部材２４８を設けられた規制腕２４６とを備えている。第２規制部材２４８は、ＳＶＲ用ハンドル２４０から、回転軸２４２の軸方向に幹線用ハンドル２３０に向けて立設されたピン状の部材である。換言すれば、第２規制部材は、ＳＶＲ用ハンドル２４０の規制腕２４６の先端に、開閉器２００の筐体２０２に向かって突出するように設けられている。
【００４７】
上記構成によれば、幹線用ハンドル２３０とＳＶＲ用ハンドル２４０の操作腕２３４、２４４や規制腕２３６、２４６は衝突しないが、第１規制部材２３８および第２規制部材２４８は他方のハンドルに衝突する。
【００４８】
そして第１規制部材２３８は、幹線用ハンドル２３０が開状態（所定の位相）にあるときに（図５（ａ）に示す線路開放モードのとき）、ＳＶＲ用ハンドル２４０の操作腕２４４の移動軌跡上に位置する。したがってＳＶＲ用ハンドル２４０を誤って回動させようとしても操作腕２４４が第１規制部材２３８に当接し、その回動が規制される。幹線用ハンドル２３０が閉状態にあるときは、第１規制部材２３８はＳＶＲ用ハンドル２４０の回転範囲外に位置し、その回動を規制しない。
【００４９】
すなわち第１規制部材２３８は、幹線用ハンドル２３０が開状態であるときにＳＶＲ用ハンドル２４０が閉状態となることを規制する過誤入防止手段として機能する。これにより、幹線用開閉部２２２およびＳＶＲ用開閉部２２４、２２６が開成されている状態からＳＶＲ用開閉部２２４、２２６が閉成されることを防止することができる。したがって、未接続の電線によって感電事故を生じたり、短絡や接続不良による設備事故が発生したりすることを防止することができる。
【００５０】
一方、第２規制部材２４８は、ＳＶＲ用ハンドル２４０が閉状態（所定の位相）にあるときに（図５（ｃ）に示す連系モードのとき）、幹線用ハンドル２３０の操作腕２３４の移動軌跡上に位置する。したがって幹線用ハンドル２３０を誤って回動させようとしても、操作腕２３４が第２規制部材２４８に当接し、その回動が規制される。ＳＶＲ用ハンドル２４０が開状態にあるときは、第２規制部材２４８は幹線用ハンドル２３０の回転範囲外に位置し、その回動を規制しない。
【００５１】
すなわち第２規制部材２４８は、ＳＶＲ用ハンドル２４０が閉状態であるときに幹線用ハンドル２３０が開状態となることを規制する過誤切防止手段として機能する。これにより、幹線用開閉部２２２が開成され、かつＳＶＲ用開閉部２２４、２４６が閉成されているときに、ＳＶＲ用開閉部２２４、２２６が開成される全ての開閉部が開成されることを防止することができる。したがって、不用意に全ての開閉部が開成されてしまい、停電事故を招いてしまうことを防止することができる。
【００５２】
上記説明した如く、本実施形態の構成によれば、自動電圧調整器１１２用の開閉器２００において、誤操作を機構的に制限することにより、安全かつ安定的に運用することが可能となる。
【００５３】
なお、幹線用ハンドル２３０およびＳＶＲ用ハンドル２４０の誤操作を規制すべく、過誤入防止手段または過誤切防止手段を別途のロック機構によって構成してもよい。ただし上記のようにハンドルの一部に設けた規制部材２３８、２４８によって過誤入防止手段または過誤切防止手段を構成することにより、必然的に誤操作を防止することができるため、確実に機能させることが可能であるため好ましい。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、自動電圧調整器を幹線に対して連系または解列させる開閉器として利用することができる。
【符号の説明】
【００５６】
１０   …自動電圧調整器
１００  …電柱
１０２  …幹線
１０２ａ  …電源側幹線
１０２ｂ  …負荷側幹線
１０６  …腕金
１１２  …自動電圧調整器
１１２ａ  …調整変圧器
１１２ｂ  …直列変圧器
１１６  …ＳＶＲ制御部
１１８  …制御装置
１２０  …引紐収納箱
１４   …開閉器
１６   …幹線
１８   …電柱
２０   …開閉器
２００  …開閉器
２０２  …筐体
２２２  …幹線用開閉部
２２４、２２６  …ＳＶＲ用開閉部
２３０  …幹線用ハンドル
２３２  …回転軸
２３４  …操作腕
２３６  …規制腕
２３８  …第１規制部材
２４０  …ＳＶＲ用ハンドル
２４２  …回転軸
２４４  …操作腕
２４６  …規制腕
２４８  …第２規制部材
２５２  …幹線状態指示器
２５４  …ＳＶＲ状態指示器
２６０、２６２  …引紐
【図１】
2010205638.tif 000003
【図２】
2010205638.tif 000004
【図３】
2010205638.tif 000005
【図４】
2010205638.tif 000006
【図５】
2010205638.tif 000007
【図６】
2010205638.tif 000008
【図７】
2010205638.tif 000009